(57)【特許請求の範囲】
【請求項１】
原稿載置台上に載置された多数枚の原稿から一枚づつ分離して搬送し、画像読み取り位置で原稿を読みとる画像読み取り装置において、該画像読み取り装置は、原稿載置台に設けられた原稿幅及び原稿長さを検知する第一のセンサ、及び原稿を移動させながら原稿長さを検知する第二のセンサを有し、原稿載置台にＡ４Ｒの原稿又は８．５×１１Ｒの原稿が置かれたことを第一のセンサで検知した場合、１枚目の原稿は第二のセンサの信号に基づき、Ａ４Ｒの原稿又は８．５×１１Ｒの原稿のいずれのサイズであるかを確定した後、原稿読み取りを開始し、更に２枚目以後の原稿を前記確定した原稿サイズとして原稿読み取りを続行するように制御する制御手段を設けたことを特徴とする画像読み取り装置。
【請求項２】
第二のセンサを原稿載置台と画像読み取り位置の間に設置したことを特徴とする請求項１に記載の画像読み取り装置。
【請求項３】
請求項１又は２に記載の画像読み取り装置を有し、且つ該画像読み取り装置で読み取られた画像信号に基づいて画像形成することを特徴とする画像形成装置。
【請求項４】
原稿載置台上に載置された多数枚の原稿から一枚づつ分離して搬送し、画像読み取り位置で原稿を読みとる画像読み取り装置において、原稿載置台に設けられた原稿幅及び原稿長さを検知する第一のセンサ、及び原稿を移動させながら原稿長さを検知する第二のセンサ、及び制御手段を有し、原稿載置台にＡ４Ｒの原稿又は８．５×１１Ｒの原稿が置かれたことを第一のセンサで検知した場合、Ａ４Ｒ原稿と８．５×１１Ｒ原稿の原稿サイズを区別せず、いずれか一方の原稿サイズを選択するように前記制御手段により制御されるモードＥと、Ａ４Ｒの原稿と８．５×１１Ｒの原稿の原稿サイズを区別し、原稿サイズを確定した後、原稿読み取りを開始するように前記制御手段により制御されるモードＦとを選択する選択手段を備えたことを特徴とする画像読み取り装置。
【請求項５】
モードＥでは、前記制御手段は原稿載置台にＡ４Ｒの原稿又は８．５×１１Ｒの原稿が置かれた場合、第一のセンサの信号に基づき、Ａ４Ｒの原稿又は８．５×１１Ｒの原稿はその原稿サイズを予め設定されているいずれか一方の原稿サイズとすることを特徴とする請求項４に記載の画像読み取り装置。
【請求項６】
モードＦでは、前記制御手段は原稿載置台にＡ４Ｒの原稿又は８．５×１１Ｒの原稿が置かれた場合、１枚目の原稿は前記第二のセンサの信号に基づき、Ａ４Ｒの原稿又は８．５×１１Ｒの原稿のいずれのサイズであるかを確定した後、原稿読み取りを開始し、更に２枚目以後の原稿を前記確定した原稿サイズとして原稿読み取りを続行するように制御することを特徴とする請求項４に記載の画像読み取り装置。
【請求項７】
第二のセンサが原稿載置台と画像読み取り位置の間に設置されたことを特徴とする請求項４〜６のいずれか１項に記載の画像読み取り装置。
【請求項８】
請求項４〜６のいずれか１項に記載の画像読み取り装置を有することを特徴とする画像形成装置。
【発明の詳細な説明】
【０００１】
【発明の属する技術分野】
本発明は、スキャナ、ファクシミリ、複写機等に用いられる画像読み取り装置に関し、原稿載置台上に載置された多数枚の原稿の原稿サイズを確定し、該原稿を読みとる画像読み取り装置に関する発明であり、更に詳しくは、原稿サイズが近似したＡ４Ｒ原稿（長辺が原稿搬送方向と平行になるＡ４版原稿、以下同じ）と８．５×１１Ｒ原稿（長辺が原稿搬送方向と平行になる短辺８．５インチ、長辺１１インチ版原稿、以下同じ）を正確に区別して原稿を読みとる画像読み取り装置に関する発明であり、該画像読み取り装置を用いた画像形成装置に関する発明である。
【０００２】
【従来の技術】
画像形成装置に使用される画像読み取り装置においては、画像が読み取られる原稿のサイズを検知する原稿サイズ検知手段が設けられ、原稿サイズを検知して、読み取られた画像データを記憶するメモリの制御や画像を記録する記録紙の選択のための情報として使用される。一般に原稿載置台上に多数枚の原稿が裁置された場合には、原稿サイズの検知には通常、原稿載置台に設けられたマイクロスイッチ等のセンサが用いられる。
【０００３】
しかしながら、上記原稿載置台に設けられた原稿サイズ検知手段では極めて原稿サイズが近似しているＡ４Ｒと８．５×１１Ｒの原稿を区別する事は困難であり、従来は両者のサイズの決定は厳密に行わないで、画像形成装置が使用される地域ごとにＡ４Ｒと８．５×１１Ｒのどちらか一方のサイズが選択されるように設計されていた。例えば８．５×１１Ｒが好んで用いられる米国ではＡ４サイズの原稿が来ても８．５×１１Ｒが選択され、Ａ４が好んで用いられる日本では８．５×１１Ｒサイズの原稿が来てもＡ４が選択された。しかし、近年の文書作成とその国際的な輸送の頻度の増加から、米国でもＡ４サイズの原稿が徐々に増加し、又日本においても８．５×１１Ｒサイズの原稿が増加しており、従来の地域別の使用決定では使用者の要求に対応できなくなってきた。
【０００４】
【発明が解決しようとする課題】
本発明の目的は上記の原稿サイズが近似したＡ４Ｒと８．５×１１Ｒの原稿を区別できる画像読み取り装置を提供することであり、且つ高速で原稿読み取りを実施する事のできる画像読み取り装置を提供すること、該画像読み取り装置を有する画像形成装置を提供することである。
【０００５】
【課題を解決するための手段】
本発明の目的は下記の構成により達成することが出来る。
【０００６】
１．原稿載置台上に載置された多数枚の原稿から一枚づつ分離して搬送し、画像読み取り位置で原稿を読みとる画像読み取り装置において、該画像読み取り装置は、原稿載置台に設けられた原稿幅及び原稿長さを検知する第一のセンサ、及び原稿を移動させながら原稿長さを検知する第二のセンサを有し、原稿載置台にＡ４Ｒの原稿又は８．５×１１Ｒの原稿が置かれたことを第一のセンサで検知した場合、１枚目の原稿は第二のセンサの信号に基づき、Ａ４Ｒの原稿又は８．５×１１Ｒの原稿のいずれのサイズであるかを確定した後、原稿読み取りを開始し、更に２枚目以後の原稿を前記確定した原稿サイズとして原稿読み取りを続行するように制御する制御手段を設けたことを特徴とする画像読み取り装置。
【０００７】
２．第二のセンサを原稿載置台と画像読み取り位置の間に設置したことを特徴とする前記１に記載の画像読み取り装置。
【０００８】
３．前記１又は２に記載の画像読み取り装置を有し、且つ該画像読み取り装置で読み取られた画像信号に基づいて画像形成することを特徴とする画像形成装置。
【０００９】
４．原稿載置台上に載置された多数枚の原稿から一枚づつ分離して搬送し、画像読み取り位置で原稿を読みとる画像読み取り装置において、原稿載置台に設けられた原稿幅及び原稿長さを検知する第一のセンサ、及び原稿を移動させながら原稿長さを検知する第二のセンサ、及び制御手段を有し、原稿載置台にＡ４Ｒの原稿又は８．５×１１Ｒの原稿が置かれたことを第一のセンサで検知した場合、Ａ４Ｒ原稿と８．５×１１Ｒ原稿の原稿サイズを区別せず、いずれか一方の原稿サイズを選択するように前記制御手段により制御されるモードＥと、Ａ４Ｒの原稿と８．５×１１Ｒの原稿の原稿サイズを区別し、原稿サイズを確定した後、原稿読み取りを開始するように前記制御手段により制御されるモードＦとを選択する選択手段を備えたことを特徴とする画像読み取り装置。
【００１０】
５．モードＥでは、前記制御手段は原稿載置台にＡ４Ｒの原稿又は８．５×１１Ｒの原稿が置かれた場合、第一のセンサの信号に基づき、Ａ４Ｒの原稿又は８．５×１１Ｒの原稿はその原稿サイズを予め設定されているいずれか一方の原稿サイズとすることを特徴とする前記４に記載の画像読み取り装置。
【００１１】
６．モードＦでは、前記制御手段は原稿載置台にＡ４Ｒの原稿又は８．５×１１Ｒの原稿が置かれた場合、１枚目の原稿は前記第二のセンサの信号に基づき、Ａ４Ｒの原稿又は８．５×１１Ｒの原稿のいずれのサイズであるかを確定した後、原稿読み取りを開始し、更に２枚目以後の原稿を前記確定した原稿サイズとして原稿読み取りを続行するように制御することを特徴とする前記４に記載の画像読み取り装置。
【００１２】
７．第二のセンサが原稿載置台と画像読み取り位置の間に設置されたことを特徴とする前記４〜６のいずれか１項に記載の画像読み取り装置。
【００１３】
８．前記４〜６のいずれか１項に記載の画像読み取り装置を有することを特徴とする画像形成装置。
【００１４】
以下、本発明を詳細に説明する。
【００１５】
【発明の実施の形態】
図１は本発明の実施の形態にかかる画像読み取り装置の断面図である。本発明の画像読み取り装置は自動原稿送り手段（ＡＤＦ）と画像読み取り手段１から構成され、次に説明するように作動する。
【００１６】
原稿載置台１１上に載置された多数枚の原稿Ｄは、画像読み取り開始の信号によって、図示の点線で示す上限位置から実線で示す作動位置に下降して回転するピックアップローラ１２によって送り出され、分離ローラ１３０とトルクリミッタが付設された静止ローラ１３１からなる、分離手段の一具体例である分離ローラ対によって一枚づつ分離されて搬送される。
【００１７】
原稿Ｄはレジストローラ対１４０、１４１において一端停止し、レジストローラ対１４０、１４１の回転始動によって搬送される。レジストローラ対１４０、１４１のスタートは、以降における原稿Ｄの搬送タイミング及び画像読み取りタイミングの基準となる。
【００１８】
原稿Ｄは大径の搬送ローラ１７により搬送されて、画像読み取り位置Ａを通過する。搬送ローラ１７の周囲には、従動する案内ローラ１５，１６及び案内板２４が配置され、原稿Ｄを搬送ローラ１７に沿って移動させる。２５は画像読み取り位置を形成する案内板であり、透明板３０とで画像読み取り位置Ａにおける原稿Ｄの通路を形成している。
【００１９】
画像読み取り位置Ａを通過後、原稿Ｄは排紙ローラ対２２０、２２１により搬送されて、排紙皿２６に排出される。
【００２０】
上記に説明した原稿Ｄの搬送経路は原稿Ｄの片面の画像読み取りの場合のものであり、原稿Ｄの表裏両面の画像を読み取る両面画像読み取りにおいては、搬送路切り替え部材２０及び２１は図の実線で示す位置から点線で示す位置に移動する。
【００２１】
画像読み取り位置Ａを通過して画像が読み取られた原稿Ｄは、反転ローラ対２３０、２３１によって搬送されて、両面中間皿２７に排出される。
両面中間皿２７における原稿Ｄは、その後端が反転ローラ対２３０、２３１に保持された状態にあり、裏面画像の読み取り開始のために、原稿Ｄは保持された原稿Ｄの後端を先頭にして、逆回転する反転ローラ対２３０、２３１によって、排紙の向きと逆方向に移動する。原稿Ｄは再び搬送ローラ１７によって、その周囲を搬送され、画像読み取り位置Ａを通過し、画像読み取りが行われる。裏面の画像が読み取られた原稿Ｄは両面中間皿２７に排出される。排出された原稿Ｄは排出方向後端が反転ローラ対２３０、２３１に保持された状態で、反転ローラ対２３０、２３１の逆転により搬送方向が逆転する。搬送路切り替え部材２１が再び、実線の位置に変位して原稿Ｄを排紙ローラ対２２０、２２１に導く。原稿Ｄは排紙ローラ対２２０、２２１によって、排紙皿２６上に排紙される。
【００２２】
画像読み取り手段１の光学系は、光源３１と第１ミラーを備える読み取りユニット３２、第２ミラーと第３ミラーから成るＶミラーユニット３３、結像レンズ３５、縮小型イメージセンサ３６により構成されている。
【００２３】
自動原稿送り手段ＡＤＦによる原稿読み取りは、読み取りユニット３２が透明板（スリット読み取り用ガラス）３０の下方の初期位置（ホームポジション）に停止し、光源３１により画像読み取り位置Ａを照射することによって行われる。
【００２４】
一方、原稿台ガラス４０上の原稿の読み取りは、読み取りユニット３２及びＶミラーユニット３３を移動させながら行われる。
【００２５】
図２は図１の画像読み取り装置を備えた画像形成装置の全体構成断面図である。
【００２６】
画像形成装置本体Ｂは、画像読み取り手段１、画像処理手段２、画像書き込み手段（像露光手段）３、画像形成手段（感光体、帯電手段、現像手段、転写手段、クリーニング手段等から形成される）４、給紙手段５、搬送手段６、定着手段７、排紙手段８、自動両面画像形成のための再搬送手段（ＡＤＵ）９を備えている。
【００２７】
画像形成装置本体Ｂの上部には、自動原稿送り手段ＡＤＦが開閉可能に支持されている。
【００２８】
原稿は自動原稿送り手段ＡＤＦによる搬送により、又は原稿台ガラス４０上に静止状態で載置されることにより読み取られるが、画像読み取り手段１において読み取られた原稿画像の画像情報は画像処理手段２により画像処理が行われ、画像データとして信号化され、一旦メモリに格納される。
【００２９】
画像書き込み手段３においては、半導体レーザからの出力光が画像形成手段４の感光体に照射され、潜像を形成する。画像形成手段４においては、一様帯電、像露光、現像による顕像形成、記録材への像転写、分離、クリーニング等の処理が行われ、給紙手段５から搬送された記録材（記録紙、用紙等ともいう）Ｐに画像が転写される。画像を担持した記録材Ｐは、搬送手段６により搬送され、定着手段７により定着され、排紙手段８により装置外の排紙皿８１に排出される。
【００３０】
又は、作業者から両面画像形成の指示がなされている場合は、搬送路切り替え板８２により再搬送手段９に送り込まれ、第１面に画像形成された記録材Ｐは、再び画像形成手段４において形成された画像を第２面に転写された後定着され、排紙手段８により装置外の排紙皿８１に排出される。
【００３１】
或いは、搬送路切り替え板８２により通常の排紙通路から分岐した記録材Ｐは、反転排紙部８３において搬送方向が逆転して表裏反転された後、排紙手段８により装置外の排紙皿８１に排出される。
【００３２】
図２に示す画像形成装置は、
▲１▼  原稿Ｄを搬送し、透明板（スリット読み取り用ガラス）３０上を移動する過程で原稿Ｄを、固定された光学系により読み取る原稿移動型読み取りモードと、▲２▼  原稿台ガラス４０上に載置された原稿を光学系を移動させることにより読み取る光学系移動型読み取りモード、
との２モードを一つの光学系による読み取り処理が可能で、必要により適宜使い分けられる。
【００３３】
本発明は、▲１▼のモードにおける問題を解決しようとするものである。即ち、原稿サイズが近似しているため、従来どちらか一方のサイズに統一していたＡ４Ｒと８５×１１Ｒの原稿サイズを正確に区別して、画像形成を行える画像読取り装置を提供することにある。
【００３４】
次に、原稿サイズ検知の例について、説明する。
図３は原稿載置台に設けられた原稿サイズを検知する第一のセンサの構成図である。
【００３５】
原稿載置台１１には、図３に示すように、原稿搬送方向に直角な方向（原稿幅方向）のほぼ中央位置に原稿搬送方向に前後してセンサＳ１及びＳ２が設けられる。センサＳ１は図１に示すように、原稿Ｄが載置されることによって回転するアクチュエータＳ１１とアクチュエータＳ１１の回転を検知するフォトセンサＳ１２で構成される。センサＳ２も同様な構成である。センサＳ２はＢ５横（長辺が原稿搬送方向に直角になるＢ５版原稿、以下同じ）、Ａ４横（長辺が原稿搬送方向に直角になるＡ４版原稿、以下同じ）、Ｂ４縦（長辺が原稿搬送方向と平行になるＢ４版原稿、以下同じ）及びＡ３縦（長辺が原稿搬送方向と平行になるＡ３版原稿、以下同じ）に対して、すべて検知可能になる。センサＳ１はＢ５横及びＡ４横に対しては、検知不可になるが、Ｂ４縦及びＡ３縦に対しては、検知可能になる。
【００３６】
原稿載置台１１の両側部には、原稿Ｄの側縁を揃える規制板１１１及び１１２が設けられている。規制板１１１と１１２とは、公知の連結機構によって、連結されており、一方の規制板、例えば１１１を矢印Ｘ方向に移動させることによって、他方の規制板１１２が自動的に矢印Ｙ方向に移動する構成となっている。
【００３７】
センサＳ３、Ｓ４は規制板１１１の位置を検知するセンサであり、センサＳ３はＡ４横及びＡ３縦の原稿を規制する位置に規制板１１１があるときに検知可能、Ｂ５横及びＢ４縦の原稿を規制する位置に規制板１１１があるときに検知不可となるセンサであり、センサＳ４はＢ５横及びＢ４縦の原稿を規制する位置に規制板１１１があるときに検知可能、Ａ４横及びＡ３縦の原稿を規制する位置に規制板１１１があるときに検知不可となるセンサである。
【００３８】
以上、原稿載置台に設けたセンサＳ１及びＳ２と原稿の側縁を規制する規制板１１１の位置を検知するセンサＳ３及びＳ４とによって、原稿サイズが検知される。サイズ検知は次の表１に従って行われる。尚、センサＳ１〜Ｓ４は全て原稿載置台に設けられたセンサであり、本発明の第一のセンサに属する。
【００３９】
【表１】
0003729063.tif 000002
【００４０】
ただし、○はセンサの検知状態を、×はセンサの非検知状態をそれぞれ表す。
上記の原稿サイズの検知は、原稿が原稿載置台１１上に載置され、規制板１１１と１１２を原稿の縁に合わせた段階で行われる。
【００４１】
しかしながら、上記原稿裁置台１１のようなセンサ構成ではＡ４Ｒと８．５×１１Ｒの原稿サイズを正確に区別して検知できる分解能がない。図４はＡ４Ｒと８．５×１１Ｒの原稿サイズを示した図である。即ち、図４に示すようにＡ４Ｒと８．５×１１Ｒの原稿サイズではセンサＳ１とＳ２の距離が大きいため、センサＳ２では共に検知状態、センサＳ１では共に非検知状態となり、両者の原稿サイズは原稿幅方向を検知するセンサＳ３及びセンサＳ４で検知する必要があるが、Ａ４Ｒと８．５×１１Ｒの幅方向のサイズの違いは５．９ｍｍであり、更に紙幅の公差（一般的には±２ｍｍ）が加わると、前記したような原稿載置台のセンサではＡ４Ｒと８．５×１１Ｒの幅方向のサイズの差を正確に検知できない。
【００４２】
以下、Ａ４Ｒと８．５×１１Ｒ原稿の原稿サイズ検知について説明する。
Ａ４Ｒと８．５×１１Ｒ原稿の原稿サイズ検知は原稿載置台とは別に設けられた原稿を移動させながら原稿長さを測定する第二のセンサにより行う。即ち図４で示すようにＡ４Ｒと８．５×１１Ｒ原稿の縦方向のサイズは１７．６ｍｍの差があり、第二のセンサの信号に基づき、その差を区別できる。以下図１を用いて、第二のセンサによるＡ４Ｒと８．５×１１Ｒ原稿の原稿サイズ検知について説明する。
【００４３】
原稿載置台にＡ４Ｒ、又は８．５×１１Ｒ原稿が載置された場合、原稿載置台のセンサはＡ４Ｒ原稿、或いは８．５×１１Ｒ原稿と仮判定する。その後仮判定された原稿は画像読み取り開始の信号によって、図示の点線で示す上限位置から実線で示す作動位置に下降するとともに回転するピックアップローラ１２によって送り出され、分離ローラ１３０とトルクリミッタが付設された静止ローラ１３１からなる、分離手段の一具体例である分離ローラ対によって一枚目の原稿が分離されて搬送される。続いて、分離ローラ対１３０、１３１と、レジストローラ対１４０、１４１の間に配置された移動原稿の通過時間を測定するセンサＳ５（発光素子と受光素子で構成されたセンサ）の位置を通過する。センサＳ５は原稿の通過時間を検知し、Ａ４Ｒと８．５×１１Ｒ原稿の原稿の長さを検知し、区別する。センサＳ５は本発明の第二のセンサに属する。
【００４４】
本発明ではＡ４Ｒと８．５×１１Ｒ原稿の原稿サイズを区別し、どちらか一方の原稿サイズであることを確定した後、多数枚原稿の連続搬送、連続読み取りを開始する。
【００４５】
Ａ４Ｒ又は８．５×１１Ｒ原稿がセンサＳ５を通過した後、原稿サイズをどちらかに確定するまで、１枚目の原稿はセンサＳ５を通過した後、その後原稿読み取りを開始するまで、１枚目の原稿は一時バイパスで係留する等の工夫が必要である。
【００４６】
図１の画像読み取り装置では１枚目の原稿はその先端がセンサＳ５を通過した後、画像読み取り位置Ａを通過して、反転ローラ対２３０、２３１により搬送され、両面中間皿２７方向へ搬送される。その後、原稿後端がセンサＳ５を通過し、原稿サイズが測定されると、搬送ローラ１７及び反転ローラ対２３０、２３１は逆回転し、搬送路切り替え部材２２の切り替えと共に、原稿後端は原稿逆搬送経路Ｃを通過し、排紙皿２６に搬送される。この逆搬送により、原稿先端は案内ローラ１５と１６の間で一旦停止し、その後原稿サイズが確定した後、搬送ローラ１７及び反転ローラ対２３０、２３１が再び順回転に回転し始めると、原稿搬送が正常に戻され、１枚目の原稿から順次原稿読み取りを開始する。このとき原稿載置台上に載置された２枚目以後の原稿サイズは１枚目の原稿サイズと同サイズとして、原稿読み取りが開始される。
【００４７】
又、本発明では原稿載置台に載置された原稿がＡ４Ｒ原稿又は８．５×１１Ｒ原稿の場合、両者の原稿サイズを前記の如く、正確に区別するモードＦと、両者の原稿サイズを区別せず、これらの原稿サイズは予めセットされたＡ４Ｒ、又は８．５×１１Ｒのいずれかのサイズに特定するモードＥを選択する選択手段を備えている。該選択手段はタッチパネル等の操作部ＯＰ等に設けられている。
【００４８】
モードＥでは原稿載置台にＡ４Ｒ原稿又は８．５×１１Ｒ原稿が置かれた場合、原稿載置台に設けられた原稿幅及び原稿長さを検知するセンサにより、Ａ４Ｒ原稿又は８．５×１１Ｒ原稿を区別せず、予め設定されたいずれか一方の原稿サイズに確定される。
【００４９】
ここで、予め設定されたいずれか一方の原稿サイズとは画像形成装置の操作部で原稿サイズを予め入力する方法、或いは前記した如く、Ａ４Ｒ原稿又は８．５×１１Ｒ原稿のいずれか一方の原稿頻度が著しく高い場合に、いずれの原稿でも原稿頻度の高いサイズに予め設定する方法等がある。このいずれの場合においても、モードＥでは原稿載置台上に載置された多数枚の原稿（Ａ４Ｒ原稿又は８．５×１１Ｒ原稿）は１枚目から、予め設定された原稿サイズに確定されて、順次自動搬送され、読み取り手段により読み込まれる。
【００５０】
図５は本発明の画像形成装置の制御手段を示すブロック図である。
制御手段であるＣＰＵには、前記第一のセンサ（センサＳ１〜Ｓ４）、或いは第二のセンサ（センサＳ５）からの信号が入力される。入力された原稿サイズ信号はＣＰＵ内の原稿サイズ参照信号と比較され、原稿サイズが確定され、続いて画像読み取り開始、帯電、露光、現像等の画像形成手段を実行する信号が画像形成部ＰＵに出力される。
【００５１】
ＯＰは操作部であり、制御手段ＣＰＵは該操作部ＯＰのコピーボタン等の操作による画像形成開始信号等を受理、前記したモードを選択する選択手段の信号を受けて、モードを設定する。ＣＰは外部機器であるコンピュータ、ＭＤはファクシミリ通信を行う通信手段であり、制御手段ＣＰＵはこれらの機能部からも画像形成開始信号を受理する。
【００５２】
ＰＵは画像形成部であり、帯電、露光、現像及び転写により記録紙上にトナー像を形成する。制御手段ＣＰＵはこれら各機能部を監視し、制御する。
【００５３】
図６は本発明の画像形成装置の原稿の画像読み取りと、画像読み取りにより得られた画像データに基づいた画像形成プロセスの図である。画像形成装置においては、記録紙供給は記録紙が積載されている給紙部から、画像形成部に記録紙を供給する過程であり、この過程は長時間を要する。このため、画像読み取りと記録紙供給は、時間的には並行して実行されるのが好ましい。又、給紙部からどのサイズの記録紙を選択して供給するかの情報は、原稿サイズの確定によりもたらされるので、記録紙の搬送の開始時期を早くすることが画像形成を高速で行うための条件となる。
【００５４】
このようなことから、画像形成の高速化が優先される場合はモードＥが適しており、正確な画像形成を優先する場合はモードＦが好ましい。
【００５５】
【発明の効果】
従来、Ａ４Ｒ原稿と８．５×１１Ｒ原稿の原稿サイズは原稿載置台に設けられたセンサによっては区別が困難であったが、本発明の画像読み取り装置を用いることにより、Ａ４Ｒ原稿と８．５×１１Ｒ原稿の原稿サイズを正確に検知でき、どちらの原稿も差別なく使用できるようになった。又、Ａ４Ｒ原稿と８．５×１１Ｒ原稿の原稿サイズを正確に区別するモードＦとＡ４Ｒ原稿と８．５×１１Ｒ原稿の原稿サイズを区別せず、どちらも予め設定されたどちらか一方のサイズに確定するモードＥを選択できることにより、正確さを優先するモードとスピードを優先するモードを作業者に提供できる。
【図面の簡単な説明】
【図１】本発明の実施の形態にかかる画像読み取り装置の断面図である。
【図２】図１の画像読み取り装置を備えた画像形成装置の全体構成断面図である。
【図３】原稿載置台に設けられた原稿サイズを検知する第一のセンサの構成図である。
【図４】Ａ４Ｒと８．５×１１Ｒの原稿サイズを示した図である。
【図５】本発明の画像形成装置の制御手段を示すブロック図である。
【図６】本発明の画像形成装置の原稿の画像読み取りと、画像読み取りにより得られた画像データに基づいた画像形成プロセスの図である。
【符号の説明】
１１  原稿載置台
Ｓ１、Ｓ２、Ｓ３、Ｓ４、Ｓ５  センサ
【図１】
0003729063.tif 000003
【図２】
0003729063.tif 000004
【図３】
0003729063.tif 000005
【図４】
0003729063.tif 000006
【図５】
0003729063.tif 000007
【図６】
0003729063.tif 000008